(57)【要約】【課題】閉鎖性の高い場所で簡単な水質処理を行うために、従来は上部水管及び下部水管を縦に設け、上部水管と下部水管の間に上部水管によって水面の水を吸引するプロペラ及び下部水管によって水底の水を吸引するプロペラを設けて水面近傍の水及び水底近傍の水を混合して、水面と水底のほぼ中間に排出することにより、水質を改善しているが、あまり効果は得られない。【解決手段】台座１の下に浮袋２が装着され、台座１の上にモータ４が装着され、モータ４の側部にモータ駆動回路５が装着され、台座１の上に超音波駆動回路６と高電圧発生回路７が装着され、台座１の下方の上部水管８超音波振動子９が装着され、上部水管８の下方に仕切板１１が支持され、仕切板１１の下方に中心に電極１３が装着された下部水管１４が仕切板１１に支持され、モータ４の駆動軸４ａに固着された上プロペラ１６と下プロペラ１７が仕切板１０を挟んで装着されている。【選択図】        図１
2004188354.tif 000002
【特許請求の範囲】
【請求項１】
浮袋によって水面を浮遊するようにした台座と、該台座の下部に垂直方向に装着した上部水管及び下部水管と、該上部水管と下部水管の間に装着した仕切板の上下に装着した上プロペラ及び下プロペラと、前記上プロペラ及び下プロペラの回転軸に連結される前記台座に装着したモータと、前記上部水管に装着された超音波振動子と、前記台座に装着されて前記超音波振動子を駆動する超音波発振器と、前記下部水管のほぼ中心に装着された電極と、該電極と前記下部水管の間に高電圧を印加する高電圧発生回路と、前記台座に装着されたソーラーパネルと、該ソーラーパネルで発生した起電力を蓄電するバッテリと、該バッテリからの電力によって駆動される電源とからなり、前記モータを駆動して前記上プロペラと下プロペラを回転することにより、水面近傍の水を上部水管から仕切板の側方に流し、下部水管から水底近傍の水を仕切板から側方に流し、前記上部水管を流れる水に前記超音波振動子から超音波を照射して水質を改善し、前記高電圧発生回路から前記下部水管と前記電極の間に高電圧を印加することにより、前記下部水管に流れる水底のヘドロ等を分解することを特徴とするする閉鎖水域の水質改善装置。
【請求項２】
前記上プロペラと前記下プロペラの回転をそれぞれ独立させて、上部水管にのみ水面からの水を流し、又、下部水管にのみ水底近傍の水を流すことを特徴とする請求項１記載の閉鎖水域の水質改善装置。
【請求項３】
前記下部水管の長さを長くし、湖沼の深い水域の水を循環させることを特徴とする請求項１記載の閉鎖水域の水質改善装置。
【発明の詳細な説明】
【０００１】
【発明が属する技術分野】
本発明は、溜め池や貯水池などの閉鎖水域における水質を改善するようにする閉鎖水域の水質改善装置に関するものである。
【０００２】
【従来の技術】
一般に、養殖場の溜池、水産業用の溜池、水産業用の生簀、農業溜池、防火用溜池等の閉鎖性の高い場所では、窒素、リンなどの栄養塩の増加による藻類の異常増殖や富栄養化による水質の悪化などが問題となっている。
【０００３】
【発明が解決しようとする課題】
しかしながら、このような閉鎖性の高い場所で簡単な水質処理を行うために、従来は上部水管及び下部水管を縦に設け、そして、上部水管と下部水管の間に上部水管によって水面の水を吸引するプロペラ及び下部水管によって水底の水を吸引するプロペラを設けて水面近傍の水及び水底近傍の水を混合して、水面と水底のほぼ中間に排出することにより、水質を改善しているが、あまり効果は得られないという問題があった。
【０００４】
【課題を解決しようとする手段】
本発明は、浮袋によって水面を浮遊するようにした台座と、該台座の下部に垂直方向に装着した上部水管及び下部水管と、該上部水管と下部水管の間に装着した仕切板の上下に装着した上プロペラ及び下プロペラと、前記上プロペラ及び下プロペラの回転軸に連結される前記台座に装着したモータと、前記上部水管に装着された超音波振動子と、前記台座に装着されて前記超音波振動子を駆動する超音波発振器と、前記下部水管のほぼ中心に装着された電極と、該電極と前記下部水管の間に高電圧を印加する高電圧発生回路と、前記台座に装着されたソーラーパネルと、該ソーラーパネルで発生した起電力を蓄電するバッテリと、該バッテリからの電力によって駆動される電源とからなり、前記モータを駆動して前記上プロペラと下プロペラを回転することにより、水面近傍の水を上部水管から仕切板の側方に流し、下部水管から水底近傍の水を仕切板から側方に流し、前記上部水管を流れる水に前記超音波振動子から超音波を照射して水質を改善し、前記高電圧発生回路から前記下部水管と前記電極の間に高電圧を印加することにより、前記下部水管に流れる水底のヘドロ等を分解するものであり、又、前記上プロペラと前記下プロペラの回転をそれぞれ独立させて、上部水管にのみ水面からの水を流し、又、下部水管にのみ水底近傍の水を流すものであり、さらに、前記下部水管の長さを長くし、湖沼の深い水域の水を循環させるものである。
【０００５】
【発明の実施の形態】
本発明では、閉鎖性水域において、上部水管と下部水管を設け、上部水管と下部水管の間に仕切板を設け、この仕切板の上下に逆方向に水流を生じさせて、上部水面と水底の水を循環させるとともに、上部水管に超音波振動子を装着して、超音波を照射することにより、水面近傍の水を活性化して水質を改善し、さらに、下部水管の中心に電極を装着して、下部水管と電極の間に高電圧を印加することにより、水底近傍の水の中にふくまれているヘドロ等を分解することにより、水質を改善することができるものである。
【０００６】
【実施例】
図１は本発明の実施例の閉鎖水域の水質改善装置の構成図で、台座１の下に浮袋２が装着されて水面３を浮遊するように構成され、又、台座１の上にモータ４が装着され、モータ４の側部にモータ駆動回路５が装着され、さらに、台座１の上に超音波駆動回路６及び高電圧発生回路７が装着され、台座１の下方に上部水管８が支持部材１０で支持され、上部水管８に超音波振動子９が装着され、又、上部水管８の下方に仕切板１１が支持部材１２で支持され、さらに、仕切板１１の下方に中心に電極１３が装着された下部水管１４が支持部材１５により仕切板１１に支持され、モータ４の駆動軸４ａに固着された上プロペラ１６と下プロペラ１７が仕切板１０を挟んで装着され、超音波駆動回路６から超音波振動子９に発振出力が印加され、さらに、高電圧発生回路７から下部水管１４と電極１３に高電圧が印加されている。
【０００７】
このように構成した本実施例の閉鎖水域の水質改善装置では、まず、モータ駆動回路５からの出力でモータ４を駆動すると、上プロペラ１６と下プロペラ１７は同じ方向に回転するが、プロペラの傾斜が反対に構成されているので、上プロペラ１６は上部水管８の上部の水面からの水を吸引して、仕切板１１で側方に流れ、又、下プロペラ１７で下部水管１４の下部の水底近傍の水を吸引して、上部の仕切板１１から側方に流れ、水面近傍の水と水底近傍の水が仕切板１１の周囲で混合されるが、この水面近傍の水と水底近傍の水を混合しただけでは水質の改善はあまり顕著に行われないので、水面近傍の水に超音波を照射することにより、水面近傍の水を活性化して水質を改善し、又、水底近傍の水に電極１３と下部水管１４の間に高電圧を印加して、水底近傍の水に含まれるヘドロ等を分解した水を水面近傍の水と混合することにより、水質が改善された水が上部水管８と下部水管１４の間の仕切板１１の周囲で混合されるので、これを連続的に行うことにより、閉鎖水域の水質が改善される。
【０００８】
図２は図１の閉鎖水域の水質改善装置のブロック図で、４はモータ、５はモータ駆動回路、６は超音波駆動回路、７は高電圧発生回路、１３は電極、１４は下部水管でこれらの構成は上記実施例と同じであるので、説明は省略するが、本実施例では、ソーラーパネル回路１８で発生下起電力がバッテリ１９で蓄電され、バッテリ１９から電源２０に電力が印加され、電源２０からモータ駆動回路５、超音波駆動回路６、高電圧発生回路７に電力が供給されている。
【０００９】
本実施例では、このように、水質改善装置が閉鎖水域を浮遊している間に、モータ４を回転して上プロペラ１６、下プロペラ１７を回転し、上部水管８を流れる水に超音波を印加して水を活性化することにより水質を改善し、さらに、下部水管１４を流れる水に高電圧を印加してヘドロ等を分解することにより、上部水管８及び下部水管１４でそれぞれ吸引された水を仕切板１１の周囲で混合することにより、閉鎖水域の水質を改善することができる。
【００１０】
【発明の効果】
以上説明したように、本発明の閉鎖水域の水質改善装置では、閉鎖水域を浮遊している間に、モータを回転して上プロペラ及び下プロペラを回転し、上部水管を流れる水に超音波を印加して水を活性化することにより水質を改善し、さらに、下部水管を流れる水に高電圧を印加してヘドロ等を分解することにより、上部水管及び下部水管でそれぞれ吸引された水を仕切板の周囲で混合することにより、閉鎖水域の水質を改善することができるという利点がある。
【図面の簡単な説明】
【図１】本発明の実施例の閉鎖水域の水質改善装置の構成図である。
【図２】図１の閉鎖水域の水質改善装置のブロック図である。
【符号の説明】
１            台座
２            浮袋
３            水面
４            モータ
５            モータ駆動回路
６            超音波駆動回路
７            高電圧発生回路
８            上部水管
９            超音波振動子
１０、１２    支持部材
１１          仕切板
１３          電極
１４          下部水管
１５          支持部材
１６          上プロペラ
１７          下プロペラ
１８          ソーラーパネル回路
１９          バッテリ
２０          電源
【図１】
2004188354.tif 000003
【図２】
2004188354.tif 000004